(57)【要約】【課題】ビデオプロジェクタ本体の姿勢変更固定作業をきわめて簡単な作業で迅速に、かつ、確実に行うことのできるビデオプロジェクタ固定装置。【解決手段】ビデオプロジェクタを固定支持する支持体Ｃに対して取り付け可能な固定側部材１と、ビデオプロジェクタ本体Ｖを取り付けるための本体側部材２を備え、固定側部材１と本体側部材２の間に介装される姿勢変更機構３により、固定側部材１に対して本体側部材２の取り付け姿勢を変更して固定できるビデオプロジェクタ固定装置で、姿勢変更機構３が、固定側部材１と本体側部材２のいずれか一方の部材に連結固定されたボール９と他方の部材に連結固定された被押圧部材１８、および、ボール９を被押圧部材１８に押し付けて固定する押圧部材１６を備え、かつ、押圧部材１６を押し付け操作するための操作レバー１４が設けられている。【選択図】        図１
2005172935.tif 000002
【特許請求の範囲】
【請求項１】
ビデオプロジェクタを固定支持する支持体に対して取り付け可能な固定側部材と、ビデオプロジェクタ本体を取り付けるための本体側部材を備え、それら固定側部材と本体側部材の間に介装される姿勢変更機構により、前記固定側部材に対して本体側部材の取り付け姿勢を変更して固定できるように構成されているビデオプロジェクタ固定装置であって、
前記姿勢変更機構が、前記固定側部材と本体側部材のいずれか一方の部材に連結固定されたボールと他方の部材に連結固定された被押圧部材、および、前記ボールを前記被押圧部材に押し付けて固定する押圧部材を備え、かつ、その押圧部材を押し付け操作するための操作レバーが設けられているビデオプロジェクタ固定装置。
【請求項２】
前記押圧部材と被押圧部材が、前記ボールに対して実質的に線状に当接して押し付けられる請求項１に記載のビデオプロジェクタ固定装置。
【請求項３】
前記押圧部材と被押圧部材が、枢支軸周りに相対回動自在に構成され、前記操作レバーの回動操作によって、前記押圧部材と被押圧部材が、前記枢支軸周りの相対回動により遠近方向に移動するように構成されている請求項１または２に記載のビデオプロジェクタ固定装置。
【請求項４】
前記押圧部材と被押圧部材のいずれか一方の部材が、雄ねじ部材に一体的に設けられ、他方の部材が、前記雄ねじ部材に螺合する雌ねじ部材に一体的に設けられていて、両ねじ部材の螺合軸心周りへの前記操作レバーの回転操作によって、前記押圧部材と被押圧部材が、両ねじ部材の螺合により遠近方向に移動するように構成されている請求項１または２に記載のビデオプロジェクタ固定装置。
【請求項５】
前記操作レバーが、前記雌ねじ部材に螺合されていて、その操作レバー自体の回転操作によって、操作レバーの先端が前記ボールに当接してボールを前記押圧部材と被押圧部材に押し付けるように構成されている請求項４に記載のビデオプロジェクタ固定装置。
【発明の詳細な説明】
【技術分野】
【０００１】
本発明は、ビデオプロジェクタを固定支持する支持体に対して取り付け可能な固定側部材と、ビデオプロジェクタ本体を取り付けるための本体側部材を備え、それら固定側部材と本体側部材の間に介装される姿勢変更機構により、前記固定側部材に対して本体側部材の取り付け姿勢を変更して固定できるように構成されているビデオプロジェクタ固定装置に関する。
【背景技術】
【０００２】
このような固定装置は、例えば、支持体の一例である建屋の天井にビデオプロジェクタを取り付けるためのもので、従来、図８および図９に示すような構成のものが知られており、実際に販売もされている（従来技術を適切に開示した特許公報が見つからないため、図示によって説明する）。
この従来の固定装置は、天井Ｃに取り付け可能な固定側部材１Ａと、ビデオプロジェクタ本体Ｖを取り付けるための本体側部材２Ａを備え、両部材１Ａ，２Ａ間に介装される姿勢変更機構３Ａが、ビデオプロジェクタ本体Ｖの上下方向への傾斜角を変更する上下傾斜角変更機構３１と左右横方向への傾斜角を変更する横方向傾斜角変更機構３２との２つの機構の組み合わせからなり、両変更機構３１，３２とも、ボルト３３と長孔３４により構成されていた。
【発明の開示】
【発明が解決しようとする課題】
【０００３】
したがって、従来の固定装置では、ビデオプロジェクタ本体Ｖの姿勢を所望どおりに設定して固定するに際し、両変更機構３１，３２を別々に操作して固定する必要があった。
例えば、最初に、上下傾斜角変更機構３１によりビデオプロジェクタ本体Ｖの上下方向への傾斜角を設定して固定し、その後、横方向傾斜角変更機構３２により左右横方向への傾斜角を設定して固定する必要があり、ビデオプロジェクタ本体Ｖの姿勢変更固定作業が煩雑となる欠点があり、特に、ビデオプロジェクタ本体Ｖが天井Ｃに取り付けられている場合には、高所での作業となるために一層煩雑化するおそれがあった。
その上、例えば、上下方向への傾斜角を設定して固定した後、左右横方向への傾斜角を設定して固定すると、上下方向への傾斜角が微妙に変化することがあり、その場合には、再び上下方向への傾斜角を設定し直す必要もあり、この点に改良の余地があった。
【０００４】
本発明は、このような従来の問題点に着目したもので、その目的は、ビデオプロジェクタ本体の姿勢変更固定作業をきわめて簡単な作業で迅速に、かつ、確実に行うことのできるビデオプロジェクタ固定装置を提供することである。
【課題を解決するための手段】
【０００５】
本発明の第１の特徴構成は、ビデオプロジェクタを固定支持する支持体に対して取り付け可能な固定側部材と、ビデオプロジェクタ本体を取り付けるための本体側部材を備え、それら固定側部材と本体側部材の間に介装される姿勢変更機構により、前記固定側部材に対して本体側部材の取り付け姿勢を変更して固定できるように構成されているビデオプロジェクタ固定装置であって、前記姿勢変更機構が、前記固定側部材と本体側部材のいずれか一方の部材に連結固定されたボールと他方の部材に連結固定された被押圧部材、および、前記ボールを前記被押圧部材に押し付けて固定する押圧部材を備え、かつ、その押圧部材を押し付け操作するための操作レバーが設けられているところにある。
【０００６】
本発明の第１の特徴構成によれば、ビデオプロジェクタ本体の取り付け姿勢を変更して固定する姿勢変更機構が、支持体に取り付ける固定側部材とビデオプロジェクタ本体を取り付けるための本体側部材のいずれか一方の部材に連結固定されたボールと、他方の部材に連結固定された被押圧部材、および、そのボールを被押圧部材に押し付けて固定する押圧部材により構成されているので、従来のように、上下方向への傾斜角の設定固定と左右横方向への傾斜角の設定固定を別々に行う必要がなく、一度だけの簡単な作業でビデオプロジェクタ本体の姿勢を迅速に設定することができる。
しかも、ボールを被押圧部材に押し付けて固定する押圧部材の押し付け操作は、操作レバーにより容易に行うことができるので、たとえ天井などの高所に取り付けられたビデオプロジェクタであっても、姿勢変更固定作業を安全、確実に行うことができる。
【０００７】
本発明の第２の特徴構成は、前記押圧部材と被押圧部材が、前記ボールに対して実質的に線状に当接して押し付けられるところにある。
【０００８】
本発明の第２の特徴構成によれば、押圧部材と被押圧部材が、ボールに対して実質的に線状に当接して押し付けられるので、押圧部材と被押圧部材がボールに噛み込む状態となり、例えば、面状に当接して押し付けられる場合と比較して、ビデオプロジェクタ本体の姿勢維持がきわめて強固で確実なものとなる。
【０００９】
本発明の第３の特徴構成は、前記押圧部材と被押圧部材が、枢支軸周りに相対回動自在に構成され、前記操作レバーの回動操作によって、前記押圧部材と被押圧部材が、前記枢支軸周りの相対回動により遠近方向に移動するように構成されているところにある。
【００１０】
本発明の第３の特徴構成によれば、押圧部材と被押圧部材が、枢支軸周りに相対回動自在に構成され、操作レバーの回動操作によって、その押圧部材と被押圧部材が、枢支軸周りの相対回動により遠近方向に移動するように構成されているので、操作レバーの回動操作による押圧部材と被押圧部材の遠近移動によって、姿勢変更機構によるビデオプロジェクタ本体の姿勢変更固定と固定解除とを確実に行うことができる。
【００１１】
本発明の第４の特徴構成は、前記押圧部材と被押圧部材のいずれか一方の部材が、雄ねじ部材に一体的に設けられ、他方の部材が、前記雄ねじ部材に螺合する雌ねじ部材に一体的に設けられていて、両ねじ部材の螺合軸心周りへの前記操作レバーの回転操作によって、前記押圧部材と被押圧部材が、両ねじ部材の螺合により遠近方向に移動するように構成されているところにある。
【００１２】
本発明の第４の特徴構成によれば、押圧部材と被押圧部材のいずれか一方の部材が、雄ねじ部材に一体的に設けられ、他方の部材が、その雄ねじ部材に螺合する雌ねじ部材に一体的に設けられていて、両ねじ部材の螺合軸心周りへの操作レバーの回転操作によって、押圧部材と被押圧部材が、両ねじ部材の螺合により遠近方向に移動するように構成されているので、操作レバーの回転操作による押圧部材と被押圧部材の遠近移動によって、姿勢変更機構によるビデオプロジェクタ本体の姿勢変更固定と固定解除とを確実に行うことができる。
【００１３】
本発明の第５の特徴構成は、前記操作レバーが、前記雌ねじ部材に螺合されていて、その操作レバー自体の回転操作によって、操作レバーの先端が前記ボールに当接してボールを前記押圧部材と被押圧部材に押し付けるように構成されているところにある。
【００１４】
本発明の第５の特徴構成によれば、回転操作により押圧部材と被押圧部材を遠近移動させる操作レバーが、雌ねじ部材に螺合されていて、その操作レバー自体の回転操作によって、操作レバーの先端がボールに当接してボールを押圧部材と被押圧部材に押し付けるように構成されているので、雄雌両ねじ部材の螺合軸心周りへの操作レバーの回転操作によってボールを押圧部材と被押圧部材に押し付けることができるのに加えて、その操作レバー自体の回転操作によっても、ボールを押圧部材と被押圧部材に押し付けることができ、ビデオプロジェクタ本体の姿勢維持がより一層確実で強固なものとなる。
【発明を実施するための最良の形態】
【００１５】
本発明によるビデオプロジェクタ固定装置の実施の形態を図面に基づいて説明する。
【００１６】
［第１の実施形態］
第１の実施形態によるビデオプロジェクタ固定装置は、図１〜図３に示すように、ビデオプロジェクタを固定支持する支持体の一例である天井Ｃに対して取り付け可能な固定側部材１と、ビデオプロジェクタ本体Ｖを取り付けるための本体側部材２を備え、固定側部材１と本体側部材２との間には、ビデオプロジェクタ本体Ｖの取り付け姿勢を変更して固定するための姿勢変更機構３が介装されている。
固定側部材１は、複数のボルトＢやビスなどの固定具により天井Ｃに直接取り付けるための天井プレート４、天井プレート４に固着された上下方向軸心Ｌ１を有する外円筒体５、外円筒体５に内嵌される内円筒体６などにより構成され、外円筒体５と内円筒体６は、複数のボルトＢにより連結固定可能に構成されている。
【００１７】
固定側部材１を構成する内円筒体６の下端部には、内円筒体６の下方開口部を閉鎖する蓋体７が、水平方向に沿う枢支軸８を介して上下方向に回動自在に取り付けられ、その蓋体７と内円筒体６との間に金属製のボール９が収納されている。
その内円筒体６には、枢支軸８の反対側からフランジ１０が突設され、フランジ１０にボルト孔１１が穿設され、かつ、そのボルト孔１１に対応する雌ねじ１２が蓋体７に穿設されて、段付きボルト１３が、ボルト孔１１を貫通して雌ねじ１２に螺合されている。
段付きボルト１３の上方には、回動操作用の操作レバー１４が固着されていて、操作レバー１４により段付きボルト１３を前記軸心Ｌ１とほぼ平行な軸心Ｌ２周りに回動操作することによって、蓋体７を枢支軸８周りに回動させて、内円筒体６のフランジ１０に対して遠近方向に移動操作できるように構成されている。
【００１８】
その蓋体７には、図４に拡大して示すように、前記軸心Ｌ１とほぼ一致する軸心を有する円形の開口１５が穿設され、その円形開口１５の上方の円形縁部１６が、ボール９の下方に対して実質的に線状に当接してボール９を上方へ押圧する押圧部材として機能するように構成されている。
他方、内円筒体６には、蓋体７側の円形縁部１６に対応するように、円形の段部１７が設けられて、その円形段部１７の上下２条にわたる円形縁部１８が、ボール９の上方に対して実質的に線状に当接してボール９を受け止める被押圧部材として機能するように構成されている。
すなわち、固定側部材１を構成する内円筒体６に被押圧部材１８が設けられ、その被押圧部材１８に対してボール９を押し付けて固定する押圧部材１６が蓋体７に設けられている。
【００１９】
そのボール９の下方には、ボール用軸１９が一体的に連設され、そのボール用軸１９とボール９にわたって雌ねじ２０が穿設されて、ボール用軸１９が、蓋体７の円形開口１５を貫通して下方に延出されている。
そして、そのボール用軸１９の下端部には、本体側部材としての本体プレート２が位置されるとともに、その本体プレート２が、雌ねじ２０に螺合する固定用ボルト２１によってボール９に連結固定され、さらに、その本体プレート２に対して、ボルトやビスなどの適宜手段によってビデオプロジェクタ本体Ｖが取り付けられている。
【００２０】
つぎに、この固定装置を使用して、例えば、建屋の天井Ｃにビデオプロジェクタを取り付ける手順について説明する。ただし、以下に説明する手順は単なる一例にすぎず、したがって、実際の取り付けに際して、手順の一部が相前後することはあり得る。
まず、固定側部材１のうち、天井プレート４と外円筒体５のみを複数のボルトＢやビスにより天井Ｃの所定箇所に固定する。そして、本体プレート２にビデオプロジェクタ本体Ｖを予め取り付けておいて、内円筒体６を外円筒体５に内嵌し、両円筒体５，６を複数のボルトＢにより固定してビデオプロジェクタ本体Ｖの取り付けを完了する。
【００２１】
その後、ビデオプロジェクタ本体Ｖの向きを変更調整するのであり、まず、操作レバー１４を所定の角度だけ固定解除方向へ回動操作して、蓋体７を若干下方へ回動させる。
それによって、押圧部材１６と被押圧部材１８によるボール９の締め付けが解除されるので、ビデオプロジェクタ本体Ｖは、ボール９の中心点周りであらゆる方向へ向き変更自在となる。この状態でビデオプロジェクタ本体Ｖの向きを所望どおりに設定し、操作レバー１４を所定の角度だけ固定方向へ回動操作する。
すると、蓋体７が枢支軸８周りに回動して内円筒体６側へ引き寄せられ、押圧部材１６と被押圧部材１８が、ボール９に対して線状に噛み込んで強固に固定され、本体プレート２に取り付けられたビデオプロジェクタ本体Ｖが、姿勢変更機構３や固定側部材１を介して天井Ｃに固定されるのである。
【００２２】
つぎに、第２の実施形態について説明するが、重複説明を避けるため、第１の実施形態で説明した構成部品や同じ作用を有する構成部品については、同じ符号を付すことにより説明を省略し、主として第１の実施形態と異なる構成について説明する。
【００２３】
［第２の実施形態］
第２の実施形態によるビデオプロジェクタ固定装置は、図５に示すように、天井Ｃに対する固定側部材１が、天井プレート４、天井プレート４に固着された上下方向軸心Ｌ１を有する内円筒体２２、内円筒体２２に外嵌される外円筒体２３などにより構成され、両円筒体２２，２３が複数のボルトＢにより連結固定可能に構成されている。
外円筒体２３は、雄ねじ部材として機能するもので、その下方部分に雄ねじ２４が穿設され、それに雌ねじ部材としての袋ナット体２５が螺合されていて、外円筒体２３、袋ナット体２５、および、両者の間に位置するボール９などにより姿勢変更機構３が構成されている。
【００２４】
すなわち、袋ナット体２５の下方には、前記軸心Ｌ１とほぼ一致する軸心を有する円形開口２６があり、その円形開口２６の上方の円形縁部が、ボール９の下方に対して実質的に線状に当接してボール９を上方へ押圧する押圧部材１６として機能するように構成されている。
他方、外円筒体２３においては、その円形の内側縁部が、袋ナット体２５側の押圧部材１６に対応して、ボール９の上方に対して実質的に線状に当接してボール９を受け止める被押圧部材１８として機能するように構成されている。
【００２５】
そして、袋ナット体２５には、先端に操作ボルト２７を有する回転操作用の操作レバー２８が操作ボルト２７を介して螺着されていて、雄ねじ部材としての外円筒体２３と雌ねじ部材としての袋ナット体２５との螺合軸心、つまり、軸心Ｌ１周りへの操作レバー２８の回転操作によって、両ねじ部材２３，２５の螺合で、押圧部材１６と被押圧部材１８が遠近方向に移動操作できるように構成されている。
それに加えて、操作レバー２８自体をその回転軸心Ｌ３周りに回転操作することにより、操作レバー２８に固着の操作ボルト２７の先端がボール９に当接して、そのボール９を押圧部材１６と被押圧部材１８に押し付けるように構成されている。
【００２６】
この第２の実施形態による固定装置においても、天井プレート４と内円筒体２２のみを複数のボルトＢやビスにより天井Ｃの所定箇所に固定し、本体プレート２にビデオプロジェクタ本体Ｖを予め取り付けておいて、外円筒体２３を内円筒体２２に外嵌し、両円筒体２２，２３を複数のボルトＢにより固定してビデオプロジェクタ本体Ｖの取り付けを完了する。
その後、操作レバー２８を固定解除方向へ回転操作し、袋ナット体２５を若干下方へ移動させて、押圧部材１６と被押圧部材１８によるボール９の締め付けを解除する。そして、ビデオプロジェクタ本体Ｖの向きを所望どおりに設定した後、操作レバー２８を固定方向へ回転操作し、押圧部材１６と被押圧部材１８をボール９に対して線状に噛み込ませて固定する。
そして、第２の実施形態の場合には、必要に応じて操作レバー２８による締め付けの前後、または、締め付け中に操作レバー２８自体をその軸心Ｌ３周りに回転操作して、押圧部材１６と被押圧部材１８によるボール９への噛み込みをより一層強力にすることができるのである。
【００２７】
以上、本発明によるビデオプロジェクタ固定装置につき、その第１と第２の実施形態に基づいて説明したが、両実施形態において下記のような変更が可能である。
【００２８】
（１）両実施形態では、押圧部材１６と被押圧部材１８がボール９に対して線状に当接して噛み込む構成を示したが、押圧部材１６と被押圧部材１８のいずれか一方、あるいは、両方をボール９に対して面状に当接するように構成することもできる。
なお、本明細書でいう「線状」とは、厳密な意味で「線」を意図するものではなく、操作レバー１４，２８を人為力で操作した際に、押圧部材１６や被押圧部材１８が、ボール９に対して楔のように噛み込んで押し付け可能な状態を意図するものである。
【００２９】
（２）両実施形態では、支持体の一例として建屋の天井Ｃを示したが、天井以外にも、例えば、建屋の壁や床、あるいは、机などの各種家具など、種々のものを支持体としてビデオプロジェクタ本体Ｖを固定することができ、その際、必要があれば、ビデオプロジェクタ本体Ｖの取り付け位置を軸心Ｌ１方向に沿って自由に延長できるように構成して実施することもできる。
例えば、第１の実施形態であれば、図６に示すように、天井プレート４に内円筒体６と同じ径の円筒体６Ａを固着しておき、外円筒体５と同じ径の延長用円筒体５Ａを使用し、複数のボルトＢやビスなどの固定具により各円筒体５Ａ，６，６Ａどうしを互いに連結して、ビデオプロジェクタ本体Ｖを所望の高さ位置に固定するのである。
同様に、第２実施形態であれば、図７に示すように、天井プレート４に外円筒体２３と同じ径の円筒体２３Ａを固着しておき、内円筒体２２と同じ径の延長用円筒体２２Ａを使用し、複数のボルトＢやビスなどの固定具により各円筒体２２Ａ，２３，２３Ａどうしを互いに連結して、ビデオプロジェクタ本体Ｖを所望の高さ位置に固定するのである。
【図面の簡単な説明】
【００３０】
【図１】第１の実施形態によるビデオプロジェクタ固定装置の一部切欠き側面図
【図２】第１の実施形態によるビデオプロジェクタ固定装置の正面図
【図３】図２におけるＡ−Ａ線の断面視図
【図４】図１における要部の拡大側面図
【図５】第２の実施形態によるビデオプロジェクタ固定装置の要部の拡大側面図
【図６】第１の実施形態によるビデオプロジェクタ固定装置の別の使用例を示す側面図
【図７】第２の実施形態によるビデオプロジェクタ固定装置の別の使用例を示す側面図
【図８】従来のビデオプロジェクタ固定装置の側面図
【図９】従来のビデオプロジェクタ固定装置の正面図
【符号の説明】
【００３１】
１          固定側部材
２          本体側部材
３          姿勢変更機構
８          枢支軸
９          ボール
１４，２８  操作レバー
１６        押圧部材
１８        被押圧部材
２３        雄ねじ部材
２５        雌ねじ部材
Ｃ          支持体
Ｌ１        螺合軸心
Ｖ          ビデオプロジェクタ本体
【図１】
2005172935.tif 000003
【図２】
2005172935.tif 000004
【図３】
2005172935.tif 000005
【図４】
2005172935.tif 000006
【図５】
2005172935.tif 000007
【図６】
2005172935.tif 000008
【図７】
2005172935.tif 000009
【図８】
2005172935.tif 000010
【図９】
2005172935.tif 000011